(57)【特許請求の範囲】
【請求項１】
丸編によりレッグ部に連続して踵部を目減り及び目増やしにより編成すると共に、当該レッグ部及び踵部に連続してフット部を編成して形成されるトレンカにおいて、
前記踵部のゴアライン近傍を前記踵部の端部から内側に向かって略直線状に切開され、当該切開された踵部を、前記レッグ部及び前記フット部の裏面側に前記切開先端部より内側を折り目として畳み込まれ、当該畳み込み領域を前記レッグ部及び前記フット部に接合されて形成される補強部を備えることを
特徴とするトレンカ。
【請求項２】
請求項１に記載のトレンカにおいて、
前記補強部が、前記折り目に沿って一又は複数の縫い目により縫着して結合されることを
特徴とするトレンカ。
【請求項３】
請求項１に記載のトレンカにおいて、
前記補強部が、熱的接着により結合されることを
特徴とするトレンカ。
【請求項４】
丸編によりレッグ部に連続して踵部を目減り及び目増やしにより編成すると共に、当該レッグ部及び踵部に連続してフット部を編成して形成されるトレンカ製造方法において、
前記踵部のゴアライン近傍を前記踵部の端部から内側に向かって略直線状に切開する切開工程と、
前記切開された踵部を、前記レッグ部及び前記フット部の裏面側に前記切開先端部より内側を折り目として畳み込む畳み込み工程と、
当該畳み込み領域を前記レッグ部及び前記フット部に接合して補強部を形成する補強工程を含むことを
特徴とするトレンカ製造方法。
【発明の詳細な説明】
【技術分野】
【０００１】
本発明は、踵部が空洞化された形状の靴下であるトレンカに関して、特に利用者の踵部分を強固かつ容易に固定することにより、履き心地良く作製方法も簡素なトレンカの提供を目的とする。
【背景技術】
【０００２】
靴下は、利用者の足に装着された状態で重力及び履物からの摩擦力を絶えず受けることにより、装着時に固定した位置からずり落ち及びずり上がりがちである。この点において、トレンカは、踵部が開放された形状の靴下であり、利用者の足がこの空洞化された部分にしっかりと固定されることによりずり落ち及びずり上がりを防止することができる。
【０００３】
従来のトレンカとしての、靴下及びその製造方法は、製造される靴下をトレンカとして適用する場合に、縫い合わせが必要な縫い合わせ部分を縫い合わせると共に、この縫い合わせ部分を加熱又は低温にて溶融させ、融着させて形成するものがある（例えば、特許文献１参照）。また、従来のトレンカとしての、靴下及び靴下製造方法は、製造される靴下をトレンカとして適用する場合に、レッグ部の折り返された先端部をレッグ部に縫着して形成するものがある（例えば、特許文献２参照）。
【特許文献１】特開平８―３２５８０６号公報
【特許文献２】特開２００２―１７３８０１号公報
【発明の開示】
【発明が解決しようとする課題】
【０００４】
しかし、従来のトレンカでは、レッグ部からフット部まで丸編により連続的に編成されるために、トレンカ特有の開放された形状の踵部のレッグ部及びフット部との境界領域が他の丸編部分と同様の生地の厚みで形成されてしまい、この境界領域の強度が不十分となり、装着された足に対してしっかりとしたフィット感が得られないという課題を有する。
【０００５】
本発明は前記課題を解消するためになされたもので、利用者の踵部分を簡易な製造方法で強固かつ容易に固定することにより、履き心地を向上するトレンカの提供を目的とする。
【課題を解決するための手段】
【０００６】
本発明に係るトレンカは、丸編によりレッグ部に連続して踵部を目減り及び目増やしにより編成すると共に、当該レッグ部及び踵部に連続してフット部を編成して形成されるトレンカにおいて、前記踵部のゴアライン近傍を前記踵部の端部から内側に向かって略直線状に切開され、当該切開された踵部を、前記レッグ部及び前記フット部の裏面側に前記切開先端部より内側を折り目として畳み込まれ、当該畳み込み領域を前記レッグ部及び前記フット部に接合されて形成される補強部を備えるものである。このように、本発明は、前記ゴアライン近傍を前記踵部の端部から内側に向かって略直線状に切開された踵部を、前記レッグ部及び前記フット部の裏面側に前記切開先端部より内側を折り目として畳み込み、当該畳み込み領域を前記レッグ部及び前記フット部に接合して補強部を形成することから、前記畳み込み領域の畳み込み部分に切れ目の無い連続した編地で二重に厚みを持たせることとなり、前記踵部の畳み込み部分の強度を高め、利用者の足へのフィット感を向上させることができる。また、前記踵部を一旦形成後に前記切開を行うことから、前記踵部の開口部分を一体的に編み立てる場合と比較して足甲の形状が自然に保たれることとなり、フット部分、特に足甲に対する十分なフィット感を得ることができる。
【０００７】
また、本発明に係るトレンカは必要に応じて、前記補強部が、前記折り目に沿って一又は複数の縫い目により縫着して結合されるものである。このように、本発明は、前記補強部が、前記折り目に沿って一又は複数の縫い目により縫着して結合されることから、前記畳み込み領域を縫製により確実に固定することとなり、前記踵部の畳み込み部分の強度をさらに高め、利用者の足へのフィット感を一層向上させることができる。
【０００８】
また、本発明に係るトレンカは必要に応じて、前記補強部が、熱的接着により結合されるものである。このように、本発明は、前記補強部が、熱的接着により結合されることから、縫い難い前記畳み込み領域を熱的接着力により確実に接着することとなり、前記踵部の畳み込み部分の強度をさらに高め、利用者の足へのフィット感を一層向上させ、また、作製工程を簡素化できることとなり、作製ミスの低減による品質向上や作製費用の削減を実現することができる。
【発明を実施するための最良の形態】
【０００９】
（本発明の第１の実施形態）
以下、本発明の第１の実施形態に係るトレンカをその製造方法と共に図１及び図２に基づいて説明する。
この図１は本実施形態に係るトレンカの断面図、図２は図１記載のトレンカの作製方法の説明図である。
【００１０】
前記各図において本実施形態に係るトレンカは、レッグ部１１と、フット部１２を備え、踵部１６のゴアライン１７近傍をこの踵部１６の外側端部Ａから内側に向かって直線状に切開して切開部１８を形成され、この切開された踵部１６を、このレッグ部１１及びこのフット部１２の裏面側に切開先端部Ｂより内側の折り目１５で畳み込まれ、この畳み込み領域１６ａをこのレッグ部１１及びこのフット部１２に補強部編み目１９にて縫着されて形成される補強部１３を備える。また、トレンカは、トウ部を空洞化することにより形成される端部形状としてのトレンカ先端部２０を備える。
【００１１】
次に、本実施形態に係るトレンカの作製方法を工程順序に従って説明する。トレンカは、図２（ａ）に示すように、まず、通常の踵部付きの靴下と同様に、丸編によりレッグ部１１に連続して踵部１６を目減り及び目増やしにより編成され、このレッグ部１１及び踵部１６に連続してフット部１２を編成されて形成される。また、このゴアライン１７は、この踵部１６の形成時の縫い目として形成され、踵部形成線１４上に一両端を配する。
【００１２】
次に、この踵部１６は、同図（ａ）及び同図（ｂ）に示すように、裁断具、例えばハサミにより、この踵部１６の丸編みの目増やし及び目減らしによる編み量の極大となる編み量極大位置Ａの近傍から、このゴアライン１７に沿って内部に向かって裁断されることができる。裁断線１９は、この編み量極大位置Ａの近傍から裁断先端部Ｂまで裁断されることにより形成される。このように、このゴアライン１７に沿って裁断されることから、この踵部１６を縦断する縫い目に沿って裁断されることとなり、裁断手順を簡素化し、この裁断線１９の品質を一定に保つことができる。
【００１３】
次に、この裁断された踵部１６は、同図（ｃ）の断面図に示すように、前記レッグ部１１及び前記フット部１２の裏面側に、前記裁断による裁断先端部Ｂより内側の折り目１５で折り返されて畳み込み領域１６ａとして畳み込まれる。このように、この裁断先端部Ｂより内側の折り目１５で折り返されることから、前記畳み込み領域１６ａの畳み込み部分に切れ目の無い連続した編地で二重に厚みを持たせることとなり、この踵部１６の畳み込み部分の強度を高め、利用者の足へのフィット感を向上させることができる。
【００１４】
また、この踵部１６を一旦形成後に前記裁断を行うことから、この踵部１６の開口部分を一体的に編み立てる場合と比較して足甲の形状が自然に保たれることとなり、フット部分、特に足甲に対する十分なフィット感を得ることができる。また、裁断された踵部１６の全体をトレンカの裏面に伸延させて展開させることから、アキレス腱部分に厚みを持たせることとなり、積極的にアキレス腱を保護し、歩行に伴い発生しがちなアキレス腱の痛みを軽減することができる。また、土踏まず部分に厚みを持たせることとなり、踵から足指方向の弓形カーブ形状の縦アーチを積極的に維持することができ、長時間着用時における疲労を軽減することができる。
【００１５】
次に、この畳み込み領域１６ａは、同図（ｄ）に示すように、複数の縫い目による縫製、例えば三本飾無縫いにより、前記折り目１５の内周に沿って編成されて固定されることができる。この編成により、補強部編み目１９は、縫製による形成線として形成される。このように、この踵部１６は、前記レッグ部１１及び前記フット部１２との境界領域を複数の縫い目による縫製とすることから、強度の弱くなりがちなこの境界領域を強固に固定することとなり、利用者の足へのフィット感を一層向上させることができる。
【００１６】
なお、本実施形態では、前記補強部１３は、畳み込み領域１６ａが前記折り目１５で１回の折り返しにより、二重の生地で形成されるとしたが、この折り返し方法に限定されず、例えば前記折り目１５で２回の折り返しにより三重の生地から形成されることもできる。このように前記補強部１３の生地の厚さを増すことにより、前記補強部１３を強固に形成することとなり、利用者の足へのフィット感を一層向上させることができる。
【００１７】
（本発明のその他の実施形態）
以下、本発明のその他の実施形態に係るトレンカを図３に基づいて説明する。
この図３は、本実施形態に係るトレンカの作製方法の説明図である。前記第１の実施形態では前記レッグ部１１及び前記フット部１２の裏面に畳み込まれた踵部１６を複数の縫い目による縫製により固定するとしたが、本実施形態は、この踵部１６を熱的な接着により固定するものである。
【００１８】
本実施形態に係るトレンカでは、図３（ａ）に示すように、前記踵部１６の裏面に加熱により溶融して温度低下に伴い固まる性質をもつ溶融糸１６ｂを備えることができる。この溶融糸１６ｂとしては、例えば、融点が１１０℃〜１２０℃と低く、熱圧着後の繊維が解け難く、さらに生地にコシを与える性質を持つエルダー糸（登録商標）を用いることができる。
【００１９】
次に、本実施形態に係るトレンカの作製方法を、前記第１の実施形態からの変更箇所に関して説明する。
前記第１の実施形態と同様に、裁断された前記踵部１６は、前記図２（ｃ）に示すように、前記レッグ部１１及び前記フット部１２の裏面側に、前記裁断先端部Ｂより内側の折り目１５で折り返されて畳み込まれる。
【００２０】
ここで、本実施形態において、この畳み込まれた踵部１６は、図３（ｂ）に示すように、外部から熱及び圧力を加えられ、前記レッグ部１１及び前記フット部１２の裏面に圧着されて固定されることができる。このように、前記踵部１６は、畳み込まれた状態では生地の厚みのため縫製し難い特性を有するが、熱で圧着することにより前記レッグ部１１及び前記フット部１２に容易かつ確実に固定されることとなり、前記踵部１６の畳み込み部分の強度をさらに高め、利用者の足へのフィット感を一層向上させることができる。さらに、熱を加えるのみというシンプルな接着方法のために、作製工程を簡素化できることとなり、作製ミスの低減による品質向上や作製費用の削減を実現することができる。
【００２１】
本実施形態では、前記溶融糸１６ｂは、前記踵部１６の裏面のみとしたが、畳み込まれた前記踵部１６の裏面に接する前記レッグ部１１及び前記フット部１２の裏面にも備えることができる。このように前記レッグ部１１及び前記フット部１２の裏面にも前記溶融糸１６ｂを備えることから、前記溶融糸１６ｂによる接着力がさらに強固となり、前記踵部１６の畳み込み部分の強度をさらに高めることができる。
【００２２】
なお、前記溶融糸１６ｂは、前記踵部１６と同様な畳み込みにより形成される前記トレンカ先端部２０の形状形成時にも使用することができる。このように前記溶融糸１６ｂを前記トレンカ先端部２０に使用することから、熱で圧着することにより前記トレンカ先端部２０を容易かつ確実に形成することとなり、前記トレンカ先端部２０の畳み込み部分の強度をさらに高め、利用者の足へのフィット感を一層向上させることができる。さらに、熱を加えるのみというシンプルな接着方法のために、作製工程を簡素化できることとなり、作製ミスの低減による品質向上や作製費用の削減を実現することができる。
【００２３】
また、本実施形態では、前記踵部１６を前記レッグ部１１及び前記フット部１２の裏面に接合させるために前記溶融糸１６ｂを使用したが、生地同士を接着可能なものなら前記溶融糸１６ｂに限定されず、例えば化学的粘着力をもつ接着剤などを使用することもできる。
【００２４】
なお、上述の実施形態では、トウ部の無い空洞状のトレンカを対象としたが、踵部を空洞化された靴下であればこの形状に限定されず、例えば、閉塞されたトウ部を有するトレンカを対象とすることも可能である。
【図面の簡単な説明】
【００２５】
【図１】本発明の第１の実施形態に係るトレンカの断面図
【図２】本発明の第１の実施形態に係るトレンカの作製方法の説明図
【図３】本発明のその他の実施形態に係るトレンカの作製方法の説明図
【符号の説明】
【００２６】
１１  レッグ部
１２  フット部
１３  補強部
１４  踵部形成線
１５  折り目
１６  踵部
１６ａ  畳み込み領域
１６ｂ  溶融糸
１７  ゴアライン
１８  切開部
１９  補強部編み目
２０  トレンカ先端部
Ａ  編み量極大位置
Ｂ  裁断先端部
【図１】
0005081057.tif 000002
【図２】
0005081057.tif 000003
【図３】
0005081057.tif 000004